(57)【要約】【課題】足を取られたり、物が落下する虞が少ない形状及び大きさの肉抜き孔を形成しても、所望の強度を得られて、貯水率を向上させることができる安価で軽量な充填部材および該充填部材を用いた地下埋設型貯水施設を提供する。【解決手段】貯留部１３は、縦横かつ上下に連設された格子材１１…と、傾斜充填部材１２…とが複数個充填されている。  格子材１１の肉抜き領域２１ｂには、隣接配置される他の肉抜き領域２１ｂと交互に長手方向を直交させて延設された、一対の長孔状のスリット２２ａ，２２ａが、橋状部２３を挟んで、開口形成されている。  橋状部２３の下面側には、格子状の補強リブ部１９に、一体となるように連結される連結リブ部２４が形成されている。【選択図】図１
2008303678.tif 000002
【特許請求の範囲】
【請求項１】
雨水等を貯留及び／又は浸透する施設に使用し、雨水等を貯留する貯留部内に、縦横かつ上下に連設して充填する充填部材であって、
平面視略方形状を呈して、上面側を略平坦とする踏み板部を有し、該踏み板部の四隅には、該充填部材を上下方向に積み重ねる連結脚部を設けると共に、該踏み板部の下面側には、格子状の補強リブ部を一体に形成して、該補強リブによって区画された前記肉抜き領域には、隣接配置される他の肉抜き領域と交互に長手方向を直交させて延設する一対のスリットが、橋状部を挟んで、開口形成されていることを特徴とする充填部材。
【請求項２】
前記一対のスリット間に設けられた橋状部の下面側には、前記格子状の補強リブ部に、一体となるように連結される連結リブ部を形成してなることを特徴とする請求項１記載の充填部材。
【請求項３】
前記連結脚部内には、前記格子状の補強リブ部が、連続形成されて、外周辺に連結される延長補強リブ部が一体に形成されていることを特徴とする請求項１又は２記載の充填部材。
【請求項４】
前記踏み板部の外周縁に沿って設けられた肉抜き領域には、前記四隅に位置する連結脚部の内側辺に、連結される前記補強リブ部のうち、縦横両方向に延設される各補強リブ部に連結される十字状の十字連結リブ部を有してなることを特徴とする請求項１記載の充填部材。
【請求項５】
前記充填部材を、前記貯留部内に、縦横かつ上下に連設して充填することを特徴とする請求項１乃至４記載の充填部材を用いた地下埋設型貯水施設。
【請求項６】
前記貯留部内には、雨水ガイド機能を有する傾斜面を設けると共に、前記充填部材の連結脚部と連結可能な連結部を有する傾斜充填材を、前記充填部材と共に組み合わせて埋設することを特徴とする請求項５記載の充填部材を用いた地下埋設型貯水施設。
【発明の詳細な説明】
【技術分野】
【０００１】
本発明は、地下に埋設されて、雨水等を貯留及び／又は浸透させる貯留部に使用する充填部材及びこの充填部材を用いてなる地下埋設型貯水施設に関するものである。
【背景技術】
【０００２】
従来、図１２乃至図１４に示すような充填部材および該充填部材を用いた地下埋設型貯水施設が知られている（例えば、特許文献１等参照。）。
【０００３】
このような従来の充填部材および該充填部材を用いた地下埋設型貯水施設では、図１４に示すように、雨水等を貯留及び／又は浸透させる貯留部３が、地表面１から掘り下げられて、地中２に凹設形成されている。
【０００４】
この貯留部３の底面部には、排水溝４が、凹設形成されていると共に、周囲が、防水シート５によって覆われている。
【０００５】
そして、この貯留部３には、図１２に示す様な傾斜面部６ａを有して、四隅に連結脚部６ｂ…を有する充填部材６及び、図１３に示すような上面の平坦な平板部７ｂに、複数の肉抜き孔７ａ…が形成されている充填部材７が、複数個組み合わせられて、連結充填されている。
【０００６】
このうち、前記充填部材７の肉抜き孔７ａは、上面視略正方形形状を呈して、隅角部７ｃに、斜めに一体形成される斜め補強リブ部材８，８が、１〜３本設けられている。
【０００７】
このように構成された従来の充填部材および該充填部材を用いた地下埋設型貯水施設では、図示省略の雨水の導水手段から、図１４に示す貯水施設の貯留部３内に、雨水等が流入すると、前記図１２に示す充填部材６の傾斜面部６ａに沿って、雨水が前記排水溝４方向に、ガイドされながら流下する。
【０００８】
また、この貯留部３内には、前記図１３に示すような略正方形形状の肉抜き孔７ａ…を複数有する充填部材７…によって、充填されているので、全体の重量の増大を抑制しつつ、所望の貯水量（この従来例では、約９４．５％程度）を確保して、周囲からの土圧や、上方からの荷重に対して、必要とされる強度が確保されている。
【０００９】
この際、図１３に示すように、前記隅角部７ｃに設けられた、斜め補強リブ部材８，８、隅角部の７ｃの拡がり方向の変形を抑制する。
【特許文献１】特許第３６６０９１７号公報（段落００２２乃至００６８、図１乃至図１２）
【発明の開示】
【発明が解決しようとする課題】
【００１０】
しかしながら、このような従来の充填部材および該充填部材を用いた地下埋設型貯水施設では、作業者が、前記略正方形形状の肉抜き孔７ａ…の中央部が大きく開口しているので、足を取られてしまい、上面側の平坦部分を歩くことが困難であった。
【００１１】
また、この肉抜き孔７ａ…は、略正方形形状に開口形成されているので、物がこの肉抜き孔７ａから下方に落下してしまう虞があり、施工性が良好であるとは言いにくかった。
【００１２】
更に、この肉抜き孔７ａ…から、この充填部材７の下方が視認されてしまい、更に、上面側を歩行する作業者が、歩きづらいといった問題もあった。
【００１３】
このため、前記周囲からの土圧に対する強度を向上させて、物の落下等を防止する為、前記斜め補強リブ部材８，８を、前記肉抜き孔７ａの対角線に沿って、形成することも考えられるが、この場合、必要とされる樹脂材料量が、増大して、重量及び製造コストが増大してしまうと共に、貯水率も低下してしまう虞があった。
【００１４】
そこで、この発明は、足を取られたり、物が落下する虞が少ない形状及び大きさの肉抜き孔を形成しても、所望の強度を得られて、貯水率を向上させることができる安価で軽量な充填部材および該充填部材を用いた地下埋設型貯水施設を課題としている。
【課題を解決するための手段】
【００１５】
上記目的を達成するために、請求項１に記載された発明は、雨水等を貯留及び／又は浸透する施設に使用し、雨水等を貯留する貯留部内に、縦横かつ上下に連設して充填する充填部材であって、平面視略方形状を呈して、上面側を略平坦とする踏み板部を有し、該踏み板部の四隅には、該充填部材を上下方向に積み重ねる連結脚部を設けると共に、該踏み板部の下面側には、格子状の補強リブ部を一体に形成して、該補強リブによって区画された前記肉抜き領域には、隣接配置される他の肉抜き領域と交互に長手方向を直交させて延設して、一対のスリットが、橋状部を挟んで、開口形成されている充填部材を特徴としている。
【００１６】
また、請求項２に記載されたものは、前記一対のスリット間に設けられた橋状部の下面側には、前記格子状の補強リブ部に、一体となるように連結される連結リブ部を形成してなる請求項１記載の充填部材を特徴としている。
【００１７】
更に、請求項３に記載されたものは、前記連結脚部内には、前記格子状の補強リブ部が、連続形成されて、外周辺に連結される延長補強リブ部が一体に形成されている請求項１又は２記載の充填部材を特徴としている。
【００１８】
そして、請求項４に記載されたものは、前記踏み板部の外周縁に沿って設けられた肉抜き領域には、前記四隅に位置する連結脚部の内側辺に、連結される前記補強リブ部のうち、縦横両方向に延設される各補強リブ部に連結される十字状の十字連結リブ部を有してなる請求項１記載の充填部材を特徴としている。
【００１９】
また、請求項５に記載されたものは、前記充填部材を、前記貯留部内に、縦横かつ上下に連設して充填する請求項１乃至４記載の充填部材を用いた地下埋設型貯水施設を特徴としている。
【００２０】
更に、請求項６に記載されたものは、前記貯留部内には、雨水ガイド機能を有する傾斜面を設けると共に、前記充填部材の連結脚部と連結可能な連結部を有する傾斜充填材を、前記充填部材と共に組み合わせて埋設する請求項５記載の充填部材を用いた地下埋設型貯水施設を特徴としている。
【発明の効果】
【００２１】
このように構成された請求項１記載のものは、前記踏み板部の肉抜き領域に形成された一対のスリットによって、該肉抜き領域の肉抜きが行われる。
【００２２】
このため、樹脂材料等の材料量が減少して、軽量化を図れると共に、製造コストの増大が抑制されて、しかも、貯水率を向上させることができる。
【００２３】
また、格子状の補強リブ部が、前記踏み板部の下面側に一体形成されている。
【００２４】
該補強リブ部は、前記踏み板部の橋状部と共に、上方からの荷重に対して、必要となる強度を該充填部材に与えることが出来る。
【００２５】
また、格子状に区画された前記肉抜き領域が、上面視略正方形形状であっても、前記橋状部が、両側に形成された一対のスリットによって、該肉抜き領域の略中央部に位置している。
【００２６】
このため、対角線上に、斜めに掛け渡す等に比して、最短距離で掛け渡せて、少ない材料量を用いるだけで、開口面積を効率良く減少させるように、掛け渡される。
【００２７】
従って、足を取られたり、物が落下する虞が少ない形状及び大きさの肉抜き孔として、前記一対のスリットを各肉抜き領域に交互に開口形成しても、所望の強度を得られる。
【００２８】
また、請求項２に記載されたものは、前記連結リブ部によって、前記格子状の補強リブ部が、一体となるように連結されている。
【００２９】
このため、更に、水平方向からの土圧に対する強度を向上させることができると共に、上方からの荷重に対しても、前記踏み板部の面内，外方向の強度を、更に向上させて、作業者の体重を容易に支持することができる。
【００３０】
更に、請求項３に記載されたものは、前記連結脚部内に一体に形成された延長補強リブ部が、前記踏み板部の下面側に形成された格子状の補強リブ部と連続形成されて、外周辺に連結されている。
【００３１】
このため、前記連結脚部と、前記踏み板部との間が、略同一強度で一体化されて、更に、該充填部材の強度を向上させることが出来る。
【００３２】
また、請求項４に記載されたものは、前記踏み板部の外周縁に沿って設けられた肉抜き領域に十字連結リブ部が形成されているので、更に、該外周縁近傍では、前記踏み板部の強度が向上する。
【００３３】
更に、前記四隅に位置する連結脚部の内側辺に連結された縦横両方向に延設される補強リブ部が、該十字連結リブ部によって、連結されている。
【００３４】
このため、縦横両方に均等に充分な強度を与えて、更に、前記連結脚部と、前記踏み板部との間の一体度を向上させることができる。
【００３５】
また、請求項５に記載されたものは、前記地下埋設型貯水施設では、前記体積比で、材料量が比較的少ない充填部材が、前記貯留部内に、縦横かつ上下に連設されて、充填されている。
【００３６】
このため、前記貯留部内の貯水率を向上させることができる。
【００３７】
更に、請求項６に記載されたものは、前記傾斜充填部材が、前記充填部材と共に組み合わせられて、前記貯留部内に埋設されている。
【００３８】
このため、該傾斜充填部材の雨水ガイド機能によって、雨水等を、所望の排水溝等に円滑に導くことができると共に、前記材料量が少なく軽量な充填部材によって、施工作業性を良好なものとすることができる。
【００３９】
しかも、全て、前記傾斜充填部材を用いて、前記貯留部内を埋設する場合に比して、安価で、しかも、前記貯留部内の貯水率を向上させることができる。
【発明を実施するための最良の形態】
【００４０】
次に、図面に基づいて、この発明を実施するための最良の実施の形態の充填部材および該充填部材を用いた地下埋設型貯水施設について、説明する。なお、前記従来例と同一乃至均等な部分については、同一符号を付して説明する。
【００４１】
図１乃至図１１は、この発明の実施の形態の充填部材および該充填部材を用いた地下埋設型貯水施設を説明するものである。
【００４２】
まず、この実施の形態では、雨水等を貯留及び／又は浸透させる貯留部１３が、地表面１から掘り下げられて、地中２に凹設形成されている。
【００４３】
この貯留部１３は、図８及び図９に示されるように、縦横かつ上下に連設して、充填部材としての格子材１１…及び、前記図１２に示す従来の充填部材６と略同一形状の傾斜充填部材１２…とが複数個充填されていて、各々前記格子材１１…のみを組み合わせて構成される格子材ゾーン１３ａと、傾斜充填材１２…を組み合わせて構成される傾斜材ゾーン１３ｂとを有して、主に構成されている。
【００４４】
また、図９に示すように、前記傾斜材ゾーン１３ｂの最も上側に位置する傾斜充填材１２…上部には、格子材１１…が積層されて連結されていて、上面視では、図８に示すように、傾斜材＋格子材ゾーンが構成されている。
【００４５】
そして、この貯留部１３の底面部には、排水溝としてのＵ字溝１４が、凹設形成されていると共に、周囲が、防水シート５によって覆われている。
【００４６】
このＵ字溝１４の両端部近傍には、図８に示すように、点検口１５，１５が設けられると共に、図９に示すように、前記貯留部１３側面で、前記傾斜材ゾーン１３ｂの上部には、雨水の導水手段としての雨水流入口１６が、形成されている。
【００４７】
そして、この雨水流入口１６から、前記貯留部１３内に、流入した雨水は、前記傾斜材ゾーン１３ｂの各傾斜充填部材１２の傾斜面部が有する雨水ガイド機能によって、土砂等の夾雑物を、巻き込みながら前記Ｕ字溝１４方向へガイドされながら流下されるように構成されている。
【００４８】
次に、前記格子材１１の構成について、図１乃至図７を用いて詳述する。
【００４９】
この実施の形態の充填材の一つとしての格子材１１…は、雨水等を貯留及び／又は浸透する施設としての前記地下埋設型貯水施設の貯留部１３内に、図８及び図９に示すように、充填されて使用されるもので、雨水等を貯留する貯留部１３内に、縦横かつ上下に連設して充填されるものである。
【００５０】
この格子材１１は、平面視略正方形状を呈して、上面側を略平坦とする踏み板部１７を有している。
【００５１】
この踏み板部１７の四隅には、連結脚部１８…が、各々設けられている。
【００５２】
この連結脚部１８は、各々内側辺１８ｃを長辺とする直角二等辺三角形形状を呈して、
この連結脚部１８の上面側には、凹部１８ａが、また、下面側には、凸部１８ｂが、各々形成されていて、この格子材１１を上下方向に積み重ねる際に、上下に位置する他の格子材１１若しくは、前記傾斜充填部材１２の連結脚部１８の凸部１８ｂ又は凹部１８ａ等と嵌合により、連結されるように構成されている。
【００５３】
また、この踏み板部１７の下面側には、格子状の補強リブ部１９が一体に形成されている。
【００５４】
この実施の形態の格子材１１では、図３に示すように、前記補強リブ部１９が、一定の間隔を置いて、相互に直交配置される縦リブ部材１９ａ…及び横リブ部材１９ｂ…が、各々７本づつ設けられている。
【００５５】
そして、この実施の形態では、前記踏み板部１７の四辺の外周縁に沿って設けられた外枠材２０…の下方への突出寸法と、略同じ寸法を有して、これらの縦リブ部材１９ａ…及び横リブ部材１９ｂ…下縁が、この外枠材２０の下縁と略同じ高さ位置となるように設定されている。
【００５６】
また、前記踏み板部１７は、これらの縦リブ部材１９ａ…及び横リブ部材１９ｂ…によって、略正方形形形状となるように、複数の肉抜き領域２１ａ…及び前記外枠材２０…に沿って、周上に連続して設けられてなる肉抜き領域２１ｂ…が、区画されている。
【００５７】
このうち、前記肉抜き領域２１ｂには、隣接配置される他の肉抜き領域２１ｂと交互に長手方向を直交させて延設された、一対の長孔状のスリット２２ａ，２２ａが、橋状部２３を挟んで、開口形成されている。
【００５８】
この一対のスリット２２ａ，２２ａ間に設けられた橋状部２３の下面側には、図３及び図５に示すように、前記格子状の補強リブ部１９に、一体となるように連結される連結リブ部２４が形成されている。
【００５９】
この実施の形態では、前記橋状部２３の下面側の補強リブ部１９の両端部が、前記縦横リブ部材１９ａ，１９ｂの肉抜き領域２１ａ側側面略中央に、各々一体となるように連結されている。
【００６０】
また、前記肉抜き領域２１ｂは、各々４つの肉抜き角孔２２ｂ…が、田の字状に配設されて、開口形成されている。
【００６１】
この肉抜き領域２１ｂの下面側には、十字状の十字連結リブ部２６が形成されている。
【００６２】
この十字連結リブ部２６は、各両端部２６ａ，２６ａが、前記縦横リブ部材１９ａ，１９ｂの肉抜き領域２１ｂ側側面略中央に、各々一体となるように連結されている。
【００６３】
また、図５に示されるように、前記四隅に位置する連結脚部１８の内側辺１８ｃの内側に位置する肉抜き領域２１ｂでは、この内側辺１８ｃを貫通して、延設される延長補強リブ部２５，２５と前記各縦リブ部材１９ａ及び横リブ部材１９ｂの両方に、各々端部２６ａ，２６ａが、連結されている。
【００６４】
更に、この延長補強リブ部２５，２５は、連結脚部１８内に位置して、前記格子状の補強リブ部１９の縦リブ部材１９ａ及び横リブ部材１９ｂが、連続形成されて、外周辺に、各端部２５ａ，２５ａが一体となるように連結されている。
【００６５】
更に、この実施の形態では、図５に示すように、前記連結脚部１８の内側辺１８ｃと、この内側辺１８ｃに連接される縦リブ部材１９ａ…及び横リブ部材１９ｂ…との間には、略二等辺三角形形状を呈する肉抜き領域２１ｃ，２１ｃが、区画されて形成されている。
【００６６】
この肉抜き領域２１ｃ，２１ｃには、肉抜き三角孔２２ｃ，２２ｃが各々開口形成されている。
【００６７】
次に、この実施の形態の作用効果について説明する。
【００６８】
この実施の形態では、前記踏み板部１７の肉抜き領域２１ａに形成された一対のスリット２２ａ，２２ａによって、この肉抜き領域２１ａの肉抜きが、行われている。
【００６９】
このため、樹脂材料等の材料量が減少して、軽量化を図れると共に、製造コストの増大が抑制されて、しかも、貯水率を向上させることができる。
【００７０】
例えば、この実施の形態の格子材１１では、図１２に示すような傾斜面部６ａを有する充填部材６に比して、重量比で約２５％の軽量化が図れると共に、貯水率も、充填部材の全てを前記充填部材６…で構成した場合の約９４．７％〜９５．２％から、全てを前記格子材１１で構成した場合の約９３．７％〜９４．２％まで、向上させることができる。
【００７１】
また、格子状の前記補強リブ部１９の縦，横リブ部材１９ａ，１９ｂが、前記平坦状の踏み板部１７の下面側に一体形成されている。
【００７２】
この補強リブ部１９は、前記踏み板部１７の橋状部２３…と共に、上方からの荷重に対して、必要となる強度を、格子材１１に与えることが出来る。
【００７３】
また、格子状に区画された前記肉抜き領域２１ａ…が、上面視略正方形形状であっても、前記橋状部２３が、両側に位置する一対のスリット２２ａ，２２ａによって、肉抜き領域２１ａの略中央部に位置する。
【００７４】
このため、対角線上に、斜めに掛け渡す等に比して、最短距離で掛け渡せて、少ない分量の樹脂材料を用いるだけで、開口面積を効率良く減少させるように、掛け渡すことができる。
【００７５】
従って、足を取られたり、物が落下する虞が少ない形状及び大きさの肉抜き孔として、前記一対のスリット２２ａ，２２ａを各肉抜き領域２１ａに開口形成しても、所望の強度を得られる。
【００７６】
また、この実施の形態では、前記スリット２２ａの開口幅が、安全基準を満たす３ｃｍ以内となるように設定されている。このため、従来のように、作業者が、つま先を引っ掛けて、足を取られたり、物が落下する虞が少ない。
【００７７】
しかも、この実施の形態では、前記一対のスリット２２ａ，２２ａが、隣接する他の肉抜き領域２１ａでは、長手方向を直交させる方向に配列されているスリット２２ａ，２２ａを有しているので、一列にスリット２２ａ…が、配列される場合に比して、更に、足を取られたり、物が落下する虞を減少させることができる。
【００７８】
更に、この踏み板部１７の下方は視認されにくいので、作業者が恐怖心を覚えることなく、この格子材１１の上を歩行出来、作業性を良好なものとすることができる。
【００７９】
また、この実施の形態では、図３又は図５に示すように、前記連結リブ部２４によって、前記格子状の補強リブ部１９の隣接配置される縦リブ部材１９ａ，１９ａ間、及び横リブ部材１９ｂ，１９ｂ間が、一体となるように連結されている。
【００８０】
このため、更に、水平方向からの土圧に対する強度を向上させることができると共に、上方からの荷重に対しても、前記踏み板部１７の面内，外方向の強度を、更に向上させて、作業者の体重を容易に支持することができる。
【００８１】
更に、図５に示すように、前記連結脚部１８内に一体に形成された延長補強リブ部２５，２５が、前記踏み板部１７の下面側に形成された格子状の補強リブ部１９の縦横リブ部材１９ａ，１９ｂと連続形成されて、前記外枠材２０，２０によって構成される外周辺に端部２５ａ，２５ａに連結されている。
【００８２】
このため、前記各連結脚部１８…と、前記踏み板部１７との間が、略同一強度で一体化されて、更に、この格子材１１の強度を向上させることが出来る。
【００８３】
また、、前記踏み板部１７の外周縁に沿って設けられた肉抜き領域２１ｂ…に十字連結リブ部２６が形成されているので、更に、この外周縁近傍では、前記踏み板部１７の強度が向上する。
【００８４】
更に、前記四隅に位置する連結脚部１８の内側辺１８ｃに連結された縦横両方向に延設される補強リブ部１９の縦横リブ部材１９ａ，１９ｂが、十字連結リブ部２６によって、両方共に連結されている。
【００８５】
このため、縦横両方に均等に充分な強度を与えて、更に、前記連結脚部１８と、前記踏み板部１７との間の一体度を、更に、向上させることができる。
【００８６】
また、この実施の形態の前記地下埋設型貯水施設では、図８及び図９に示すように、前記体積比で、樹脂材料量が比較的少ない格子材１１…が、前記貯留部１３内に、縦横かつ上下に連設されて、充填されている。
【００８７】
このため、前記貯留部１３内の貯水率を向上させることができる。
【００８８】
更に、従来の図１２に示すような前記傾斜面部６ａを有する充填部材６と略同形状の傾斜充填部材１２には、四隅に連結脚部６ｂ…に相当する部分が設けられている。
【００８９】
そして、上方に載置される前記格子材１１の連結脚部１８…と嵌合されることにより、連結されて、前記傾斜充填部材１２…が、前記格子材１１…と共に、図８及び図９に示すように、組み合わせられて、前記貯留部１３内に埋設されている。
【００９０】
このため、前記充填部材１２の雨水ガイド機能によって、雨水等を、所望のＵ字溝１４等に円滑に導くことができると共に、前記樹脂材料量が少なく軽量な格子材１１…によって、施工作業性を良好なものとすることができる。
【００９１】
しかも、全て、前記傾斜充填部材１２を用いて、前記貯留部１３内を埋設する場合に比して、安価で、しかも、前記貯留部１３内の貯水率を向上させることができる。
【実施例１】
【００９２】
図１０及び図１１は、この発明の実施の形態の実施例１の充填部材としての格子材１１…を用いた地下埋設型貯水施設を示している。
【００９３】
まず、この地下埋設型貯水施設の構成から説明すると、この実施例１では、図１１に示すように、傾斜材ゾーン１１３ｂの上面側が、階段状に斜めに形成されていて、格子材１１…のみで構成される格子材ゾーン１１３ａの体積割合を、図８及び図９に示す前記実施の形態の直方体状に傾斜材ゾーン１１３ｂが形成される地下埋設型貯水施設の格子材ゾーン１１３ａの体積割合よりも大きく設定することができる。
【００９４】
次に、この実施例１の充填部材および該充填部材を用いた地下埋設型貯水施設の作用効果について、説明する。
【００９５】
この実施例１では、傾斜材ゾーン１１３ｂの上面側が、階段状に斜めに形成されていて、格子材１１…のみで構成される格子材ゾーン１１３ａの体積割合を、図８及び図９に示す前記実施の形態の直方体状に傾斜材ゾーン１３ｂが形成される地下埋設型貯水施設の格子材ゾーン１１３ａの体積割合よりも大きく設定されている。
【００９６】
このため、図１１に示すように、雨水流入口１６から、前記Ｕ字溝１４に至るまでの水平方向距離Ａが、図９に示される前記実施の形態の雨水流入口１６から、前記Ｕ字溝１４に至るまでの水平方向距離Ｂに比して長くても、雨水等を、所望の排水溝等に円滑に導くことができる。
【００９７】
従って、前記傾斜充填部材１２の数量の増大が抑制されて、軽量な格子材１１…で構成される格子材ゾーン１１３ａの体積割合を、高めて、施工性を向上させることが出来ると共に、安価に構成出来、しかも、前記貯留部１１３内の貯水率を、更に向上させることができる。
【００９８】
他の構成、及び作用効果については、前記実施の形態と同一乃至均等であるので、説明を省略する。
【００９９】
以上、図面を参照して、本発明の実施の形態及び実施例１を詳述してきたが、具体的な構成は、この実施の形態に限らず、本発明の要旨を逸脱しない程度の設計的変更は、本発明に含まれる。
【０１００】
即ち、前記実施の形態及び実施例１では、前記傾斜充填部材１２と組み合わせて、前記格子材１１…を、貯留部１３又は１１３内に充填しているが、特にこれに限らず、例えば、全て、前記格子材１１…を充填材として用いて、前記、貯留部１３又は１１３内に充填してもよく、縦横かつ上下に連設して一対のスリット２２ａ，２２ａが、橋状部２３を挟んで、開口形成されている充填部材であれば、形状、数量及び材質が、特に限定されるものではない。
【図面の簡単な説明】
【０１０１】
【図１】この発明の最良の実施の形態の充填部材で、格子材の全体の構成を説明する斜視図である。
【図２】実施の形態の充填部材で、格子材の上面図である。
【図３】実施の形態の充填部材で、格子材の下面図である。
【図４】実施の形態の充填部材で、格子材の側面図である。
【図５】実施の形態の充填部材で、隅部の拡大下面図である。
【図６】実施の形態の充填部材で、連結脚部の下面図である。
【図７】実施の形態の充填部材で、格子材の下面図である。
【図８】実施の形態の充填部材で、傾斜充填部材と格子材とを組み合わせた貯水部を有する地下埋設型貯水施設の平面図である。
【図９】実施の形態の充填部材で、傾斜充填部材と格子材とを組み合わせた貯水部を有する地下埋設型貯水施設の図８中矢視Ａ方向から見た側面図である。
【図１０】実施の形態の実施例１の充填部材で、傾斜充填部材と格子材とを組み合わせた貯水部を有する地下埋設型貯水施設の平面図である。
【図１１】実施の形態の実施例１の充填部材で、傾斜充填部材と格子材とを組み合わせた貯水部を有する地下埋設型貯水施設の図８中矢視Ａ方向から見た側面図である。
【図１２】従来例の傾斜面部を有する充填部材の一例を示す斜視図である。
【図１３】従来例の充填部材の一例を示す斜視図である。
【図１４】従来例の充填部材を用いた地下埋設型貯水施設の縦断面図である。
【符号の説明】
【０１０２】
１１            格子材（充填部材）
１３，１１３    貯留部
１７            踏み板部
１８            連結脚部
１９            補強リブ部
１９ａ          縦リブ部材
１９ｂ          横リブ部材
２０            外枠材
２１ａ，２１ｂ，２１ｃ  肉抜き領域
２２ａ，２２ａ  スリット
２３            橋状部
２４            連結リブ部
２５            延長補強リブ部
２６            十字連結リブ部
【図１】
2008303678.tif 000003
【図２】
2008303678.tif 000004
【図３】
2008303678.tif 000005
【図４】
2008303678.tif 000006
【図５】
2008303678.tif 000007
【図６】
2008303678.tif 000008
【図７】
2008303678.tif 000009
【図８】
2008303678.tif 000010
【図９】
2008303678.tif 000011
【図１０】
2008303678.tif 000012
【図１１】
2008303678.tif 000013
【図１２】
2008303678.tif 000014
【図１３】
2008303678.tif 000015
【図１４】
2008303678.tif 000016